(57)【要約】【課題】部品点数が少なく、簡単な構成で、組み立ても容易な回転式あるいは移動式の便器を提供する。【解決手段】便器本体１の底側に、カバー部３付き車輪４を内側に配設し、外側から固定ネジ５を取付穴２内に挿通させて、固定ネジ５をカバー部３に締め付けることで、便器本体１に車輪４を取り付ける。【選択図】　　　　図１
2004097709.tif 000002
【特許請求の範囲】
【請求項１】
便器本体の底側に直接車輪を取り付け、該車輪を介し回転あるいは移動可能に構成したことを特徴とする便器。
【請求項２】
車輪の軸部を便器本体に固定したことを特徴とする請求項１に記載の便器。
【請求項３】
車輪のカバー部を便器本体に固定したことを特徴とする請求項１に記載の便器。
【請求項４】
複数の車輪をフレームで連結したことを特徴とする請求項２または請求項３に記載の便器。
【請求項５】
複数の車輪を備えたベースを便器本体の底側に取り付けて構成される便器において、前記ベースは、前面側１個所の前記車輪のみを便器本体に固定して取り付けられていることを特徴とする便器。
【発明の詳細な説明】
【０００１】
【発明の属する技術分野】
この発明は、回転あるいは移動可能な便器に関するものである。
【０００２】
【従来の技術】
従来、高齢者や身体の不自由な人が便器を使用する場合、車椅子から便器に移乗する際に、トイレ内で車椅子を回転させるために、トイレ内には広いスペースが必要であったが、便器そのものが回転式あるいは移動式のものであれば車椅子からの移乗も容易となり、トイレ内のスペースも小さくすることができるため、車輪の付いた回転台上に便器を搭載することが多かった（例えば、特許文献１参照。）。
【０００３】
【特許文献１】
特開２００１−３４６７２０号公報
【０００４】
【発明が解決しようとする課題】
しかし、車輪の付いた回転台上に便器を搭載する場合に、回転台と便器を固定するために、別途、固定用の治具が必要であり、複雑な構成となり、部品点数が多く、また組み立ても複雑化してしまうという問題点があった。
【０００５】
【課題を解決するための手段】
本発明は上記従来の問題点に鑑み案出したものであって、部品点数が少なく、簡単な構成で、回転式あるいは移動式とすることのできる便器を提供せんことを目的とし、その第１の要旨は、便器本体の底側に直接車輪を取り付け、該車輪を介し回転あるいは移動可能に構成したことである。
また、第２の要旨は、車輪の軸部を便器本体に固定したことである。
また、第３の要旨は、車輪のカバー部を便器本体に固定したことである。
また、第４の要旨は、複数の車輪をフレームで連結したことである。
また、第５の要旨は、複数の車輪を備えたベースを便器本体の底側に取り付けて構成される便器において、前記ベースは、前面側１個所の前記車輪のみを便器本体に固定して取り付けられていることである。
【０００６】
【発明の実施の形態】
以下、本発明の実施例を図面に基づいて説明する。
図１は、便器と車輪の分解斜視図であり、便器本体１の底側には、底面が解放された脚部１ａが一体形成されており、この脚部１ａには、外側から内側へ貫通して３個の取付孔２，２，２が形成されている。
この各取付孔２の内側、即ち、脚部１ａの内周側に、カバー部３を備えた車輪４を配設して、外側より取付孔２内に固定ネジ５を挿通させ、固定ネジ５をカバー部３に螺合させて車輪４を取り付けることができる。
【０００７】
例えば、図２の分解図で示すように、カバー部３には固定ネジ５が螺合されるネジ孔３ａを形成させておけば、このネジ孔３ａ内に固定ネジ５を締め付けて、固定ネジ５を介してカバー部３を便器本体１の脚部１ａの内側に固定することができる。
【０００８】
なお、図３に示すように、車輪４の軸部４ａに直接、固定ネジ５を螺合させる構成であっても良く、この場合には、車輪４を脚部１ａの内側に配設させておき、固定ネジ５を取付孔２に挿通させて、固定ネジ５を車輪４の軸部４ａに締め付けて、固定ネジ５を介して便器本体１の脚部１ａに車輪４を取り付けることができるものである。
【０００９】
なお、図４に示すように、３個の車輪４，４，４を、パイプ等で三角形状に構成したフレーム６に固定させてユニット化しておき、予めユニット化したフレーム６と車輪４，４，４を脚部１ａの内側に隠蔽状に配置させて、外側より各取付孔２内に固定ネジ５を挿通させ、固定ネジ５を各車輪４の軸部４ａに締め付けて取り付けることもできるものである。
【００１０】
さらには、図５に示すように、三角形状のフレーム６にカバー部３，３，３を予め固定させてユニット化させておき、各カバー部３に対し固定ネジ５を外側より締め付けて車輪４を取り付けることもできる。
なお、車輪４あるいはカバー部３をフレーム６に所定の角度で固定しておけば、車輪４は回転運動のみが行なえて、前後方向への移動はできないようにすることができる。
【００１１】
図６は、便器本体１の脚部１ａの内側に、３個の車輪４をカバー部３を介して取り付けた状態の断面構成図であり、カバー部３及び車輪４は、脚部１ａの内側に設けられて隠蔽され、車輪４の下端が脚部１ａの下端よりも僅かに下方へ突出して、良好に車輪４はトイレの床面上を回転できるものであり、外側からは車輪４はほぼ隠蔽状態となって、極めてスッキリとした回転式の便器となる。
【００１２】
次に、図７は、予めベース７に３個のカバー部３付き車輪４を固定させておき、このベース７を便器本体の脚部１ａの底側より嵌め込んで設けたものである。即ち、ベース７は脚部１ａの内周形状と同一の形状に予め形成されて、脚部１ａの内周に嵌まり込むことのできる寸法に設定されており、このベース７には、カバー部３を嵌め込んで固定できる固定穴７ａ，７ａ，７ａが形成されており、この各固定穴７ａ内にカバー部３を嵌め込んで固定すると、車輪４のみがベース７の下方に突出状に配置されるものである。
【００１３】
このように予めベース７に３個のカバー部３，３，３を固定して、ベース７から車輪４，４，４を下方へ突出させておき、その状態でベース７を便器本体の脚部１ａの底側内周に嵌め込み、便器本体の脚部１ａの前部のみに取付孔２を貫通形成させておいて、この１個の取付孔２内に外側より固定ネジ５を挿通させて、固定ネジ５をカバー部３に締め付けて取り付けることができ、この１個所の固定ネジ５によりベース７から便器本体１の浮き上がりを防止できるものであり、後方側のカバー３，３は脚部１ａの内周面にほぼ当接されて、ガタつきが防がれるものである。
【００１４】
なお、本例では、３個の車輪を用いた三輪構造の回転式便器を例示しているが、図８の平面図で示すように、固定ネジ５を介して便器本体１に４個の車輪４，４，４，４を直接取り付けた構成であっても良く、この場合は、４個の車輪４，４，４，４により前後方向に移動できる移動式便器が構成されるものである。
【００１５】
【発明の効果】
本発明の便器は、便器本体の底側に直接車輪を取り付け、車輪を介し回転あるいは移動可能に構成したことにより、便器に直接車輪を取り付けるため、簡単な構成で部品点数を少なくして、組み立ても容易となる効果を有する。
【００１６】
また、車輪の軸部を便器本体に固定したことにより、車輪の軸部を利用して、直接便器本体に車輪を固定することができ、より構成が単純化できるものとなる。
【００１７】
また、車輪のカバー部を便器本体に固定したことにより、車輪のカバー部を利用し、このカバー部を便器本体に固定して、良好に便器本体に車輪を取り付けることができるものとなる。
【００１８】
また、複数の車輪をフレームで連結したことにより、フレームで複数の車輪を連結し、予めユニット化した状態で、便器本体に良好に車輪を取り付けることができ、組み立てなどが容易なものとなる。
【００１９】
また、複数の車輪を備えたベースを便器本体の底側に取り付けて構成される便器において、ベースは、前面側１個所の車輪のみを便器本体に固定して取り付けられていることにより、予めベースには複数の車輪を取り付けておき、そのうちの１個の車輪のみを便器本体に固定して、良好にベースと便器本体の浮き上がりを防止でき、簡単に組み立てて回転式あるいは移動式便器とすることができる効果を有する。
【図面の簡単な説明】
【図１】便器本体の底側に３個のカバー付き車輪を取り付ける前の分解斜視図である。
【図２】カバー付き車輪の分解図である。
【図３】車輪の軸部に直接固定ネジを締め付ける構成の斜視図である。
【図４】三角形状のフレームで３個の車輪を連結してユニット化した状態の斜視構成図である。
【図５】三角形状のフレームでカバーを連結して３個の車輪をユニット化した状態の斜視構成図である。
【図６】便器本体の脚部の内側に、カバー付き車輪を取り付けた状態の縦断面拡大構成図である。
【図７】便器本体の底側に、ベースに固定された３個のカバー付き車輪を取り付ける要部斜視構成図である。
【図８】４個の車輪を固定ネジで取り付けた四輪式の便器の平面構成図である。
【符号の説明】
１　便器本体
１ａ　脚部
２　取付孔
３　カバー部
３ａ　ネジ孔
４　車輪
４ａ　軸部
５　固定ネジ
６　フレーム
７　ベース
７ａ　固定穴
【図１】
2004097709.tif 000003
【図２】
2004097709.tif 000004
【図３】
2004097709.tif 000005
【図４】
2004097709.tif 000006
【図５】
2004097709.tif 000007
【図６】
2004097709.tif 000008
【図７】
2004097709.tif 000009
【図８】
2004097709.tif 000010